(57)【要約】【課題】  シャッタースピードの速さに応じて明るさの中心がずれる場合にも、任意のシャッタースピードに対して光量ムラを無くした撮像画像を得る。【解決手段】  本発明の撮像装置は、ＣＣＤ３による撮像の露光タイミングを切り替えるメカシャッター２´のシャッタースピードあるいはレンズのズーム位置に応じて、シェーディング補正部６によるシェーディング補正の中心位置を変化させるシェーディング補正中心位置補正機能部１１を備えた。【選択図】        図１
2006165894.tif 000002
【特許請求の範囲】
【請求項１】
光学系を介して被写体を撮像する撮像手段と、
上記撮像手段によって撮像した被写体の画像における外縁部の光量が低下しないように補正するシェーディング補正手段と、
上記撮像手段による撮像の露光タイミングを切り替えるシャッターのシャッタースピードに応じて、上記シェーディング補正手段によるシェーディング補正の中心位置を変化させる中心位置補正手段
を備えたことを特徴とする撮像装置。
【請求項２】
請求項１記載の撮像装置において、
上記中心位置補正手段は、さらに上記光学系のズームレンズの位置を切り替えるズーム位置に応じて、上記シェーディング補正手段によるシェーディング補正の中心位置を変化させることを特徴とする撮像装置。
【請求項３】
請求項１記載の撮像装置において、
上記中心位置補正手段は、予めシャッタースピードを計測し、任意のシャッタースピードに対するシェーディング補正の中心位置の補正量を演算して格納したシャッタースピード対補正量テーブルを有することを特徴とする撮像装置。
【請求項４】
請求項３記載の撮像装置において、
上記シャッタースピード対補正量テーブルは、上記光学系のズームレンズの位置を切り替えるズーム位置毎に設けられることを特徴とする撮像装置。
【請求項５】
請求項２記載の撮像装置において、
上記中心位置補正手段は、予めズーム位置を計測し、任意のズーム位置に対するシェーディング補正の中心位置の補正量を演算して格納したズーム位置対補正量テーブルを有することを特徴とする撮像装置。
【請求項６】
請求項５記載の撮像装置において、
上記ズーム位置対補正量テーブルは、上記シャッタースピード毎に設けられることを特徴とする撮像装置。
【請求項７】
光学系を介して撮像される画像における外縁部の光量が低下しないようにシェーディング補正を行う撮像方法であって、
上記撮像の露光タイミングを切り替えるシャッターのシャッタースピードに応じて、上記シェーディング補正の中心位置を変化させる演算を上記光学系のオートフォーカス時に行うステップと、
上記演算より得られた補正量に基づいて上記撮像される画像のキャプチャ時に画像の中心位置を補正するステップと
を備えたことを特徴とする撮像方法。
【請求項８】
請求項７記載の撮像方法において、
さらに上記光学系のズームレンズの位置を切り替えるズーム位置に応じて、上記シェーディング補正の中心位置を変化させる演算を上記光学系のオートフォーカス時に行うステップと、
を備えたことを特徴とする撮像方法。
【請求項９】
請求項７記載の撮像方法において、
上記シェーディング補正の中心位置を変化させる演算は、予めシャッタースピードを計測し、任意のシャッタースピードに対するシェーディング補正の中心位置の補正量を演算して格納したシャッタースピード対補正量テーブルを用いて行うことを特徴とする撮像方法。
【請求項１０】
請求項９記載の撮像方法において、
上記シャッタースピード対補正量テーブルを用いて行う演算は、上記光学系のズームレンズの位置を切り替えるズーム位置毎に行うことを特徴とする撮像方法。
【請求項１１】
請求項８記載の撮像方法において、
上記シェーディング補正の中心位置を変化させる演算は、予めズーム位置を計測し、任意のズーム位置に対するシェーディング補正の中心位置の補正量を演算して格納したズーム位置対補正量テーブルを用いて行うことを特徴とする撮像方法。
【請求項１２】
請求項１１記載の撮像方法において、
上記ズーム位置対補正量テーブルを用いて行う演算は、上記シャッタースピード毎に行うことを特徴とする撮像方法。
【請求項１３】
光学系を介して撮像される画像における外縁部の光量が低下しないようにシェーディング補正機能を実現する撮像処理のためのプログラムであって、
上記撮像の露光タイミングを切り替えるシャッターのシャッタースピードに応じて、上記シェーディング補正の中心位置を変化させる演算を上記光学系のオートフォーカス時に行うように指示する演算指示機能と、
上記演算より得られた補正量に基づいて上記撮像される画像のキャプチャ時に画像の中心位置を補正する指示をする補正指示機能を
実現する撮像処理のためのプログラム。
【請求項１４】
請求項１３記載の撮像処理のためのプログラムにおいて、
さらに上記光学系のズームレンズの位置を切り替えるズーム位置に応じて、上記シェーディング補正の中心位置を変化させる演算を上記光学系のオートフォーカス時に行うように指示する演算指示機能を
実現する撮像処理のためのプログラム。
【請求項１５】
請求項１３記載の撮像処理のためのプログラムにおいて、
上記シェーディング補正の中心位置を変化させる演算指示は、予めシャッタースピードを計測し、任意のシャッタースピードに対するシェーディング補正の中心位置の補正量を演算して格納したシャッタースピード対補正量テーブルを用いて行う演算指示である撮像処理のためのプログラム。
【請求項１６】
請求項１５記載の撮像処理のためのプログラムにおいて、
上記シャッタースピード対補正量テーブルを用いて行う演算指示は、上記光学系のズームレンズの位置を切り替えるズーム位置毎に行う演算指示である撮像処理のためのプログラム。
【請求項１７】
請求項１４記載の撮像処理のためのプログラムにおいて、
上記シェーディング補正の中心位置を変化させる演算指示は、予めズーム位置を計測し、任意のズーム位置に対するシェーディング補正の中心位置の補正量を演算して格納したズーム位置対補正量テーブルを用いて行う演算指示である撮像処理のためのプログラム。
【請求項１８】
請求項１７記載の撮像処理のためのプログラムにおいて、
上記ズーム位置対補正量テーブルを用いて行う演算指示は、上記シャッタースピード毎に行う演算指示である撮像処理のためのプログラム。
【発明の詳細な説明】
【技術分野】
【０００１】
本発明は、撮像される画像における外縁部の光量が低下しないようにシェーディング補正を行う撮像装置、撮像方法及び撮像処理のためのプログラムに関する。
【背景技術】
【０００２】
一般に、テレビカメラやビデオカメラ等に用いられる撮像装置においては、撮像素子の特性やレンズの特性などによって、得られる画像に輝度のムラが生じることがあった。そのため、撮像画像のそれぞれの位置に対して補正係数を乗じて画像を補正するシェーディング補正が行われている。これら撮像画像の輝度のムラは、画像の中央から外側に向かった方向に同心円状に発生するため、従来の技術では、画像の中央部分を中心として同心円状に補正係数を乗じることによって行われていた。
【０００３】
また、色収差等の画質劣化の補正を各色別の画像を拡大、縮小することにより行う場合にも、同時に手振れ補正を行う撮像装置が提案されている（例えば特許文献１を参照）。
【特許文献１】特開２００３−２５５４２４号公報
【発明の開示】
【発明が解決しようとする課題】
【０００４】
しかし、シャッターの形状や閉じる機構により発生する輝度のムラは、その形状や機構によっては、輝度のムラの分布の中心の位置が画像の中心とは異なる場合や、また、シャッターのスピードによって補正用の中心の位置が異なる場合がある。この場合、従来の方法では正しい補正をすることができないという不都合があった。
【０００５】
そこで、本発明は、シャッタースピードの速さに応じて明るさの中心がずれる場合にも、任意のシャッタースピードに対して光量ムラを無くした撮像画像を得ることができる撮像装置、撮像方法及びその撮像処理のためのプログラムを提供することを目的とする。
【課題を解決するための手段】
【０００６】
上記課題を解決し、本発明の目的を達成するため、本発明の撮像装置は、撮像手段による撮像の露光タイミングを切り替えるシャッターのシャッタースピードに応じて、シェーディング補正手段によるシェーディング補正の中心位置を変化させる中心位置補正手段を備えたものである。
【０００７】
これにより、画像の中心から外縁にかけて光量が落ちるシェーディング補正をする際に、シャッタースピードの速さに応じて明るさの中心がずれる場合にも、シェーディング補正の中心位置を変化させることによって、光量ムラを無くすように補正することができる。
【０００８】
また、本発明の撮像方法は、撮像の露光タイミングを切り替えるシャッターのシャッタースピードに応じて、シェーディング補正の中心位置を変化させる演算を光学系のオートフォーカス時に行うステップと、演算より得られた補正量に基づいて撮像される画像のキャプチャ時に画像の中心位置を補正するステップとを備えたものである。
【０００９】
これにより、オートフォーカス時に得られる露光データを用いて、シャッタースピードに応じてシェーディング補正の中心位置を変化させる補正量の演算を行うことができ、また、画像のキャプチャ時に補正量に基づいて画像の中心位置を補正することにより、キャプチャ画像にシャッタースピードに応じたシェーディング補正の中心位置の変化を反映させることができる。
【００１０】
また、本発明の撮像処理のためのプログラムは、撮像の露光タイミングを切り替えるシャッターのシャッタースピードに応じて、シェーディング補正の中心位置を変化させる演算指示を光学系のオートフォーカス時に行うように指示する演算指示機能と、演算より得られた補正量に基づいて撮像される画像のキャプチャ時に画像の中心位置を補正する指示をする補正指示機能を実現するための撮像処理のためのプログラムである。
【００１１】
本発明のプログラムによれば、オートフォーカス時に得られる露光データを用いて、シャッタースピードに応じてシェーディング補正の中心位置を変化させる補正量の演算を行う演算指示機能を実現することができるとともに、画像のキャプチャ時に補正量に基づいて画像の中心位置を補正することにより、キャプチャ画像にシャッタースピードに応じたシェーディング補正の中心位置の変化を反映させる補正指示機能を実現することができるようになる。
【発明の効果】
【００１２】
本発明によれば、シャッタースピードの速さに応じて明るさの中心がずれる場合の光量ムラを、シェーディング補正の中心位置を変化させて補正することにより、任意のシャッタースピードに対して光量ムラを無くした撮像画像を得ることができ、撮像画像の品質を向上させることができる。
そして、これによって、撮影条件によって中心の位置が変わる輝度のムラに対して、効果的に補正をかけることができる。また、既存のシェーディング補正手段をほとんど流用することができるため、新たに複雑な補正用の回路を作成する必要がないという利点もある。
【発明を実施するための最良の形態】
【００１３】
以下、本発明の実施の形態の例について、適宜図面を参照しながら説明する。
図１は、本発明の実施の形態例である撮像装置の構成を示すブロック図である。
図１の撮像装置は、レンズ１を介してＣＣＤ（Charge Coupled Device）３にて取得した被写体１２の撮像信号に所定の処理を施した後にＳＤＲＡＭ（Synchronous Dynamic Random Access Memory）８に蓄えて、映像信号としてモニタ９やフラッシュメモリ１０に出力するものである。レンズ１は被写体１２からの入射光に対してフォーカス調整やズーム調整などにより所定の光学的変換を施す。レンズ１で光学的変換された被写体１２の反射光は、メカシャッター２`を介してＣＣＤ３に結像される。ＣＣＤ３は入射する被写体１２の反射光を撮像信号として出力する。
【００１４】
この撮像装置は、上記ＣＣＤ３から得られる撮像信号を、以後の信号処理が可能となるように増幅するアンプ４と、アンプ４から与えられる撮像信号をアナログ信号からデジタル信号に変換するＡ／Ｄ変換部５と、このＡ／Ｄ変換部５にてデジタル信号とされた撮像信号に輝度の補正処理を施して、撮像信号のシェーディングを補正するシェーディング補正部６とを有している。
【００１５】
図２は、後述する本発明に用いられるメカシャッター２`と比較して説明する為に、従来のメカシャッター２による光量特性に応じたシェーディング補正特性を示す図である。
図２において、メカシャッター２がＣＣＤ３の長辺方向に対応する開閉方向２１に開閉動作されることにより、ＣＣＤ３のＣＣＤ撮像面２２に入射する被写体１２の反射光の光量は、光量特性２３のようにＣＣＤ撮像面２２のうちレンズ１の周辺部であってメカシャッター２の開閉方向２１の外縁部で低下している。
【００１６】
図１に示すシェーディング補正部６は、図２に示すようにレンズ１の周辺部の光量落ちを補正するために設けられたものであり、撮影された画像の中央部分を中心として同心円状に光量特性２３と逆特性となるシェーディング補正特性２４に示されるようなゲイン特性を持ち、このゲイン特性を得られた画像データに対して掛ける働きをするものとなる。
【００１７】
図３は、本発明に用いられるメカシャッター２’の光量特性とそれに応じたシェーディング補正を説明するための図である。
図３は、本発明の実施の形態例に用いられるメカシャッター２’の構成の例である。すなわち、レンズの小型化などに伴い、図３のような形状のメカシャッター２’を使用した場合、メカシャッター２’はＣＣＤ３の対角線方向に対応する開閉方向３１に開閉動作される。このため、ＣＣＤ３のＣＣＤ撮像面３２に入射する被写体１２の反射光の光量は、光量特性３３のようにＣＣＤ撮像面３２のうちレンズ１の周辺部であってメカシャッター２’の開閉方向３１の外縁部で低下し、さらに、光量特性３３の中心はＣＣＤ撮像面３２の中心から開閉方向３１と垂直に対応する対角線方向にずれている。
【００１８】
したがって、ＣＣＤ撮像面３２に対応する画像の中心位置から開閉方向３１と垂直に対応する対角線方向にずれた位置において、露光時間がもっとも長くなるため光量が上昇し、逆に、先に開閉方向３１のメカシャッター２′に覆われる部分は露光時間が短くなるため光量が低下することになる。この現象は、メカシャッター２′のシャッタースピードが速くなるほど顕著に現れ、また、シャッタースピードの速さによって、光量ムラの分布の形状も異なってくることが計測により分かっている。
【００１９】
そこで、このようなメカシャッター２′を用いた場合のシェーディング補正部６としては、図３Ｂの番号３４で示されるようなシェーディング特性を持たせる必要がある。すなわち、レンズ１の周辺部であってメカシャッター２′の開閉方向３１の外縁部の光量落ちを考慮するとともに、さらに、光量特性３３の中心がＣＣＤ撮像面３２の中心から開閉方向３１と垂直に対応する対角線方向にずれている点を補正する必要が生じる。このため、撮影された画像の中心であるＣＣＤ撮像面３２の中心から、開閉方向３１と垂直に対応する対角線方向にずれている光量特性３３の中心点を中心として、同心円状に光量特性３３と逆特性のシェーディング補正特性３４を持たせるようにする。そして、このシェーディング特性３４に相当するゲイン特性を得られた画像データに乗算して撮像画像のシェーディング補正を行っている。ここで、図３Ｃに示す光量分布特性３５は、図３Ｂに示す光量特性３３を平面的に示した図である。
【００２０】
なお、図１に示す撮像装置において、ＣＰＵ７は、ＣＣＤ３による撮像の露光タイミングを切り替えるメカシャッター２’のシャッタースピードに応じて、シェーディング補正部６によるシェーディング補正の中心位置を変化させるシェーディング補正中心位置補正機能部１１を備えている。
【００２１】
図４は、このＣＰＵ７におけるシェーディング補正の中心位置補正機能部１１の機能の全容を示すブロック図である。
シェーディング補正中心位置補正機能部１１は、メカシャッター２’のシャッタースピードの速さ（露光時間）を検出するシャッタースピード検出部４１とレンズ１のズーム位置を検出するズーム位置検出部４２とを有している。
【００２２】
また、シェーディング補正中心位置補正機能部１１は、シフト量演算、最適中心位置算出部４５を備えており、ここで、ＣＣＤ３による撮像の露光タイミングを切り替えるメカシャッター２のシャッタースピードに応じて、シェーディング補正部６によるシェーディング補正の最適中心位置を変化させるようにシフト量を演算すると共に、さらに光学系のズームレンズの位置を切り替えるズーム位置に応じて、シェーディング補正部６によるシェーディング補正の最適中心位置を変化させるようにシフト量を演算している。
【００２３】
さらに、シェーディング補正中心位置補正機能部１１は、予めシャッタースピードを計測し、任意のシャッタースピードに対するシェーディング補正の中心位置の補正量を演算して格納したシャッタースピードに対する補正量テーブル４３を有している。この補正量テーブル４３は、光学系のズームレンズの位置を切り替えるズーム位置毎に設けられている。
【００２４】
また、シェーディング補正中心位置補正機能部１１は、予めズーム位置を計測し、任意のズーム位置に対するシェーディング補正の中心位置の補正量を演算して格納したズーム位置に対する補正量テーブル４４を有している。この補正量テーブル４４は、シャッタースピード毎に設けられる。
【００２５】
そして、シェーディング補正中心位置補正機能部１１には、シフト量演算、最適中心位置算出部４５で算出されたシフト量、最適中心位置をシェーディング補正部６へ出力するシフト量、最適中心位置補正出力部４６が設けられている。
【００２６】
以下、このように構成されたシェーディング補正中心位置補正機能部１１のシフト量の演算機能について説明する。
図５は、ズーム位置aのときのシャッタースピードに対するシフト量を示す図であり、図５ＡはＸ方向シフト量、図５ＢはＹ方向シフト量である。
図５は、予めシャッタースピードを計測することによってシフト量を演算して用意した補正用のグラフである。このグラフはズーム位置ごとに用意され、それぞれのズーム位置ａ、ｂ、ｃ、・・・において、図５Ａに示すｘ方向のシフト量Ｘ１、Ｘ２，Ｘ３とシャッタースピードＰ１、Ｐ２、Ｐ３の関係、および図５Ｂに示すｙ方向のシフト量Ｙ１、Ｙ２，Ｙ３とシャッタースピードＰ１、Ｐ２、Ｐ３の関係を表している。
【００２７】
例えば、図５Ａに示す各シャッタースピードＰ１、Ｐ２、Ｐ３に対するｘ方向のシフト量Ｘ１、Ｘ２，Ｘ３のデータ、および図５Ｂに示す各シャッタースピードＰ１、Ｐ２、Ｐ３に対するｙ方向のシフト量Ｙ１、Ｙ２，Ｙ３のデータが、図４に示したシャッタースピードに対する補正量テーブル４３に格納されている。図４に示したシフト量演算、最適中心位置算出部４５は、シャッタースピードに対する補正量テーブル４３に格納されているデータから各シャッタースピードＰ１、Ｐ２、Ｐ３の間のシャッタースピードに対するシフト量のデータを補間することにより図５に示す補正用のグラフを得る。
【００２８】
図６は、シャッタースピードｓのときのズーム位置に対するシフト量を示す図であり、図６ＡはＸ方向シフト量、図６ＢはＹ方向シフト量である。
図６は、予めズーム位置を計測することによってシフト量を演算して用意した補正用のグラフである。このグラフはシャッタースピードごとに用意され、それぞれのシャッタースピードｓ、ｔ、ｕ、・・・において、図６Ａに示すｘ方向のシフト量Ｘ１１、Ｘ１２，Ｘ１３とズーム位置Ｚ１(ワイド端側)、Ｚ２、Ｚ３（テレ端側）の関係、および図６Ｂに示すｙ方向のシフト量Ｙ１１、Ｙ１３とズーム位置Ｚ１(ワイド端側)、Ｚ２、Ｚ３（テレ端側）の関係を表している。
【００２９】
例えば、図６Ａに示す各ズーム位置Ｚ１(ワイド端側)、Ｚ２、Ｚ３（テレ端側）に対するｘ方向のシフト量Ｘ１１、Ｘ１２，Ｘ１３のデータ、および図５Ｂに示す各ズーム位置Ｚ１(ワイド端側)、Ｚ３（テレ端側）に対するｙ方向のシフト量Ｙ１１、Ｙ１３のデータが図４に示したズーム位置に対する補正量テーブル４４に格納されている。図４に示したシフト量演算、最適中心位置算出部４５は、ズーム位置に対する補正量テーブル４４に格納されているデータから各ズーム位置Ｚ１(ワイド端側)、Ｚ２、Ｚ３（テレ端側）の間のズーム位置に対するシフト量のデータを補間することにより図６に示す補正用のグラフを得る。
【００３０】
図４に示したシャッタースピード検出部４１及びズーム位置検出部４２にて計測された、シャッタースピードの速さとズーム位置を元に、図４に示したシフト量演算、最適中心位置算出部４５は、これらのグラフのデータを用いて、図８に示すように、画像の中心８２からｘ方向のシフト量８３、ｙ方向のシフト量８４を計算し、シェーディング補正用の同心円の最適な補正の中心位置８５を算出する。算出したシフト量データはシェーディング補正部６に通知され、シェーディング補正部６は、そのシフト量データに応じて中心の位置を変化させた後に、同心円状にゲインを掛けることによって、より適切な補正を行うようにしている。
【００３１】
図７は、シェーディング補正の中心位置補正動作を示すフローチャートであり、図４に示したシェーディング補正中心位置補正機能部１１のシフト量の演算に関連する各処理を示したものである。
図７において、まず、ＣＰＵ７は、レンズ１に対するオートフォーカス(ＡＦ)調整時であるか否かを判断する(ステップＳ１)。
【００３２】
ステップＳ１の判断でオートフォーカス(ＡＦ)調整時であるときは、図４に示したシェーディング補正中心位置補正機能部１１のシャッタースピード検出部４１がメカシャッター２´のシャッタースピードが検出されたか否かを判断する(ステップＳ２)。
ステップＳ２の判断でシャッタースピードが検出されたときは、図４に示したシフト量演算、最適中心位置算出部４５は、シャッタースピードに対する補正量をシャッタースピードに対する補正量テーブル４３から読み出して取り込む(ステップＳ２)。
【００３３】
次に、シェーディング補正中心位置補正機能部１１のズーム位置検出部４２において、レンズ１のズーム位置が検出されたか否かが判断される(ステップＳ４)。
ステップＳ４の判断でズーム位置が検出されたと判定されたときは、シフト量演算、最適中心位置算出部４５は、ズーム位置に対する補正量をズーム位置に対する補正量テーブル４４から読み出して取り込む(ステップＳ５)。
【００３４】
そして、シフト量演算、最適中心位置算出部４５は、シャッタースピードに対する補正量及びズーム位置に対する補正量から、シフト量の計算をし、最適中心位置の算出をする(ステップＳ６)。
このとき、図１に示すモニタ９には、まだシェーディング補正６によるシェーディング補正が行われていない画像が出力されている。
【００３５】
次に、ＣＰＵ７は、ＣＣＤ３によって画像がキャプチャされたかどうか、つまり画像キャプチャ時であるか否かを判断する(ステップＳ７)。
判断ステップＳ７で画像キャプチャ時であると判断されたときは、シフト量、最適中心位置補正出力部４６は、シフト量演算、最適中心位置算出部４５で算出されたシフト量、最適中心位置をシェーディング補正部６へ出力する。
【００３６】
これにより、シェーディング補正部６は、画像のキャプチャ時に補正量に基づいて画像の中心位置を補正することにより、キャプチャ画像にシャッタースピード及びズーム位置に応じたシェーディング補正の中心位置の変化を反映させる（ステップＳ８）。
このようにして、シャッタースピード及びズーム位置に応じたシェーディング補正の中心位置の変化を反映させたキャプチャ画像が図１に示すフラッシュメモリ１０に格納される。
【００３７】
以上、本発明の実施の形態の例について説明したが、本発明は上述した実施の形態に限られるものではなく、特許請求の範囲に記載された本発明の要旨を逸脱しない限りにおいて、適宜、その構成を変更しうることはいうまでもない。
例えば、上述した撮像装置において、フラッシュを発光させた場合に発生する画像の輝度ムラをシェーディング補正によって補正するような場合には、被写体の距離や画角によって、もっとも明るい場所の位置が異なる。そのため、被写体の位置を算出し、これに基づいて補正の中心位置を変化させることにより、フラッシュ発光時の画像の輝度ムラをシェーディング補正するようにすることも可能である。
【図面の簡単な説明】
【００３８】
【図１】本発明の実施の形態による撮像装置の構成を示すブロック図である。
【図２】メカシャッターによる光量特性に応じたシェーディング補正特性を示す図であり、図２Ａはメカシャッター開閉動作、図２Ｂは光量特性及びシェーディング補正特性である。
【図３】本発明に用いられるメカシャッターによる光量特性に応じたシェーディング補正特性を示す図であり、図３Ａはメカシャッター開閉動作、図３Ｂは光量特性及びシェーディング補正特性、図３Ｃは光量分布特性である。
【図４】シェーディング補正の中心位置補正機能を示すブロック図である。
【図５】ズーム位置aのときのシャッタースピードに対するシフト量を示す図であり、図５ＡはＸ方向シフト量、図５ＢはＹ方向シフト量である。
【図６】シャッタースピードｓのときのズーム位置に対するシフト量を示す図であり、図６ＡはＸ方向シフト量、図６ＢはＹ方向シフト量である。
【図７】シェーディング補正の中心位置補正動作を示すフローチャートである。
【図８】シェーディング補正の中心位置補正を示す図である。
【符号の説明】
【００３９】
１…レンズ、２、２´…メカシャッター、３…ＣＣＤ、４…アンプ、５…Ａ／Ｄ変換器、６…シェーディング補正部、７…ＣＰＵ、８…ＳＤＲＡＭ、９…モニタ、１０…フラッシュメモリ、１１…シェーディング補正中心位置補正機能部、１２…被写体、２１…開閉方向、２２…ＣＣＤ撮像面、２３…光量特性、２４…逆特性のシェーディング補正特性、３１…開閉方向、３２…ＣＣＤ撮像面、３３…光量特性、３４…逆特性のシェーディング補正特性、３５…光量分布特性、４１…シャッタースピード検出部、４２…ズーム位置検出部、４３…シャッタースピードに対する補正量テーブル、４４…ズーム位置に対する補正量テーブル、４６…シフト量、最適中心位置補正出力部、４５…シフト量演算、最適中心位置算出部、８２…画像の中心、８３…ｘ方向シフト量、８４…ｙ方向シフト量、８５…補正の中心
【図１】
2006165894.tif 000003
【図２】
2006165894.tif 000004
【図３】
2006165894.tif 000005
【図４】
2006165894.tif 000006
【図５】
2006165894.tif 000007
【図６】
2006165894.tif 000008
【図７】
2006165894.tif 000009
【図８】
2006165894.tif 000010